(57)【要約】      （修正有）【課題】電磁波をさらに効率的に伝送することができる、電力変換器及びその電力変換器を有するアンテナを提供する。【解決手段】電力変換器は、第１面、及び当該第１面とは反対側の第２面を有し、誘電体により形成された第１基板と、前記第２面に配置される第１伝送パターン５と、前記第１基板の第２面と対向する第３面、及び当該第３面とは反対側の第４面を有し、誘電体により形成された第２基板と、前記第３面に配置される第２伝送パターン７と、前記第１基板の第１面または前記第２基板の第２面の少なくとも一方に配置される伝送グランド４とを備える。前記第１伝送パターン５の先端部５２と前記第２伝送パターン７の先端部７２とが、前記第１及び第２基板の面方向において重なるように配置され、前記先端部５２及び前記先端部７２の少なくとも一方は、先端にいくにしたがって幅が小さくなるように形成される。【選択図】図１
2019075627.tif 000002
【特許請求の範囲】
【請求項１】
第１面、及び当該第１面とは反対側の第２面を有し、誘電体により形成された第１基板と、
前記第１基板の前記第２面に配置される第１伝送パターンと、
前記第１基板の第２面と対向する第３面、及び当該第３面とは反対側の第４面を有し、誘電体により形成された第２基板と、
前記第２基板の前記第３面に配置される第２伝送パターンと、
前記第１基板の第１面または前記第２基板の第２面の少なくとも一方に配置され、少なくとも前記第１及び第２伝送パターンと対応するように形成される伝送グランドと、
を備え、
前記第１伝送パターンの先端部と前記第２伝送パターンの先端部とが、前記第１及び第２基板の面方向において重なるように配置され、
前記第１伝送パターンの先端部及び前記第２伝送パターンの先端部の少なくとも一方は、先端にいくにしたがって幅が小さくなるように形成されている、電力変換器。
【請求項２】
前記第１伝送パターンの先端部及び前記第２伝送パターンの先端部の少なくとも一方は、先端にいくにしたがってテーパ状に幅が小さくなるように形成されている、請求項１に記載の電力変換器。
【請求項３】
前記第１伝送パターンの先端部及び前記第２伝送パターンの先端部の両方が、先端にいくにしたがって幅が小さくなるように形成されている、請求項１または２に記載の電力変換器。
【請求項４】
前記第１及び第２伝送パターンの先端部において互いに重なっている長さが、前記先端部の長さの６０％以上である、請求項３に記載の電力変換器。
【請求項５】
前記伝送グランドは、前記第１基板の第１面または前記第２基板の第４面の両方に配置されている、請求項１から４のいずれかに記載の電力変換器。
【請求項６】
前記第１基板と第２基板との間に配置され、誘電体により形成された第３基板をさらに備え、
前記第３基板は、前記第１及び第２伝送パターンのいずれにも接触している、請求項１から５のいずれかに記載の電力変換器。
【請求項７】
請求項１から６のいずれかに記載の電力変換器と、
前記第１伝送パターンに接続される高周波回路と、
前記第２伝送パターンに接続されるアンテナパターンと、
を備えている、アンテナ装置。
【発明の詳細な説明】
【技術分野】
【０００１】
本発明は、電力変換器、及び、これを備えたアンテナ装置に関する。
【背景技術】
【０００２】
高周波信号を効果的に伝送するために、種々の技術が開発されており、例えば、特許文献１には、次のような伝送装置が開示されている。この文献に記載の伝送装置は、第１基板上に線状のパターンを形成し、このパターンの先端に円環状のパターンを形成している。また、第２基板上にも線状のパターンと、このパターンの先端に接続される円環状のパターンと、を形成している。そして、第１基板と第２基板とを所定間隔をあけて配置し、さらに、第１基板の円環状のパターンと、第２基板の円環状パターンとを対応させるように配置している。
【０００３】
この構成により、第１期板上の線状パターン及び円環状パターンを伝送された電磁波は、第２基板の円環状パターンに放射された後、線状のパターンを伝送されるようになっている。
【先行技術文献】
【特許文献】
【０００４】
【特許文献１】特開２００９−２４６８１０号公報
【発明の概要】
【発明が解決しようとする課題】
【０００５】
しかしながら、電磁波は、変換器の途中で反射などするため、効率的に電磁波を伝送するには未だ改良の余地があった。本発明は、この問題を解決するためになされたものであり、電磁波をさらに効率的に伝送することができる、電力変換器及びその電力変換器を有するアンテナを提供することを目的とする。
【課題を解決するための手段】
【０００６】
本発明に係る電力変換器は、第１面、及び当該第１面とは反対側の第２面を有し、誘電体により形成された第１基板と、前記第１基板の前記第２面に配置される第１伝送パターンと、前記第１基板の第２面と対向する第３面、及び当該第３面とは反対側の第４面を有し、誘電体により形成された第２基板と、前記第２基板の前記第３面に配置される第２伝送パターンと、前記第１基板の第１面または前記第２基板の第２面の少なくとも一方に配置され、少なくとも前記第１及び第２伝送パターンと対応するように形成される伝送グランドと、を備え、前記第１伝送パターンの先端部と前記第２伝送パターンの先端部とが、前記第１及び第２基板の面方向において重なるように配置され、前記第１伝送パターンの先端部及び前記第２伝送パターンの先端部の少なくとも一方は、先端にいくにしたがって幅が小さくなるように形成されている。
【０００７】
上記電力変換器において、前記第１伝送パターンの先端部及び前記第２伝送パターンの先端部の少なくとも一方は、先端にいくにしたがってテーパ状に幅が小さくなるように形成することができる。
【０００８】
上記電力変換器においては、前記第１伝送パターンの先端部及び前記第２伝送パターンの先端部の両方を、先端にいくにしたがって幅が小さくなるように形成することができる。
【０００９】
上記電力変換器においては、前記第１及び第２伝送パターンの先端部において互いに重なっている長さを、前記先端部の長さの６０％以上とすることができる。
【００１０】
上記電力変換器において、前記伝送グランドは、前記第１基板の第１面または前記第２基板の第４面の両方に配置することができる。
【００１１】
上記電力変換器においては、前記第１基板と第２基板との間に配置され、誘電体により形成された第３基板をさらに備えることができ、前記第３基板は、前記第１及び第２伝送パターンのいずれにも接触させることができる。
【００１２】
本発明に係るアンテナ装置は、上述したいずれかの電力変換器と、前記第１伝送パターンに接続される高周波回路と、前記第２伝送パターンに接続されるアンテナパターンと、を備えている。
【発明の効果】
【００１３】
本発明によれば、電磁波をさらに効率的に伝送することができる。
【図面の簡単な説明】
【００１４】
【図１】本発明の一実施形態に係る電力変換器の平面図である。
【図２】図１のＡ−Ａ線断面図である。
【図３】本発明の一実施形態に係るアンテナ装置の平面図である。
【図４】伝送パターンの他の例を示す平面図である。
【図５】伝送パターンの他の例を示す平面図である。
【図６】伝送パターンの他の例を示す平面図である。
【図７】伝送パターンの他の例を示す平面図である。
【図８】本発明に係る電力変換器の他の例を示す平面図である。
【図９】実施例１に係る電力変換器を示す平面図である。
【図１０】実施例２に係る電力変換器を示す平面図である。
【図１１】実施例３に係る電力変換器を示す平面図である。
【図１２】比較例１に係る電力変換器を示す平面図及び断面図である。
【図１３】比較例２に係る電力変換器を示す平面図である。
【図１４】比較例３に係る電力変換器を示す平面図である。
【図１５】実施例１に係る電力変換器の特性評価を示すグラフである。
【図１６】実施例２に係る電力変換器の特性評価を示すグラフである。
【図１７】実施例３に係る電力変換器の特性評価を示すグラフである。
【図１８】比較例１に係る電力変換器の特性評価を示すグラフである。
【図１９】比較例２に係る電力変換器の特性評価を示すグラフである。
【図２０】比較例３に係る電力変換器の特性評価を示すグラフである。
【図２１】伝送パターンの重なり量に関する特性評価を示すグラフである。
【発明を実施するための形態】
【００１５】
以下、図面を参照しつつ、本発明の一実施形態に係る電力変換器及びこれを含むアンテナ装置について説明する。
【００１６】
本実施形態に係る電力変換器は、伝送線路間で電力変換を行う装置であり、例えば平面アンテナパターンと高周波回路との間に接続されている。そして、平面アンテナが電磁波を受信すると、この電力変換器によって伝送線路間で電力変換が行われ、高周波回路に出力される。また、高周波回路から電磁波が出力されると、この電力変換器によって伝送線路間で電力変換が行われ、平面アンテナから電磁波が放射される。以下では、まず本実施形態の電力変換器について説明し、その後、この電力変換器を有するアンテナ装置について説明する。
【００１７】
＜１．電力変換器の概要＞
図１は、本実施形態に係る電力変換器の平面図、図２は図１のＡ−Ａ線断面図である。以下では、説明の便宜のため、図１の上下方向を幅方向、図１の左右方向を前後方向（右側が前方向、左側が後方向）、図２の上下方向を上下方向として説明を行う。但し、ここで規定した方向は、あくまでも説明のためであり、本発明に係る電力変換器の向きを限定するものではない。
【００１８】
図１及び図２に示すように、本実施形態に係る電力変換器は、上下方向に並ぶ矩形状の第１基板１及び第２基板２と、その間に配置された矩形状の第３基板３とを備えている。すべての基板１〜３は同じ大きさであり、ガラスエポキシ樹脂、ガラスフッ素樹脂等の誘電体により形成されている。
【００１９】
第１基板１の上面１１（第１面）全体には、薄膜状の第１伝送グランド４が形成されている。一方、第１基板１の下面１２（第２面）には、帯状の第１伝送パターン５が形成されている。この第１伝送パターン５は、第１基板１の幅方向の中央付近の前端を起点として後方に延び、第１基板１の前後方向の中央付近まで延びている。また、この第１伝送パターン５は、幅が一定の本体部５１と、後端に形成された二等辺三角形状の先端部５２と、を備えている。すなわち、先端部５２は、先端にいくにしたがってテーパ状に幅が狭くなるように形成されている。こうして、第１伝送パターン５と第１伝送グランド４とは、第１基板１を挟んで、電磁波の伝送線路であるマイクロストリップ線路を構成している。
【００２０】
一方、第２基板２の下面２２（第４面）全体には、薄膜状の第２伝送グランド６が形成されている。一方、第２基板２の上面２１（第３面）には、第１伝送パターン５と同形状の帯状の第２伝送パターン７が形成されている。この第２伝送パターン７は、第２基板２の幅方向の中央付近の後端を起点として前方に延び、第２基板２の前後方向の中央付近まで延びている。また、この第２伝送パターン７は、幅が一定の本体部７１と、その前端に形成された二等辺三角形状の先端部７２と、を備えている。すなわち、この先端部７２は、先端にいくにしたがってテーパ状に幅が狭くなるように形成されている。こうして、第２伝送パターン７と第２伝送グランド６とは、第２基板２を挟んで、電磁波の伝送線路であるマイクロストリップ線路を構成している。
【００２１】
そして、第１伝送パターン５の先端部５２と第２伝送パターン７の先端部７２とは、前後方向において一部が重なるように構成されている。すなわち、二等辺三角形状の先端部５２，７２同士が重なることで、重なり部分は、平面視において菱形状になっている。第１伝送パターン５の先端部５２と第２伝送パターン７の先端部７２とは、前後方向においてわずかでも重なっていれば良く、この重なり部分の前後方向の長さＤは、特には限定されないが、例えば、先端部５２、７２の前後方向の長さＳの６０％以上で重なっていることが好ましい。また、重なり部分の前後方向の長さＤは、先端部５２、７２の前後方向の長さＳの約８０％で重なっていることが最も好ましい。
【００２２】
次に、第３基板３について説明する。第３基板３は、第１基板１の下面１２、及び第２基板２の上面２１の両方に概ね隙間なく接触するように、接着剤、両面テープ、樹脂などで、第１基板１と第２基板２との間に配置されている。
【００２３】
上記各伝送パターン５，７、伝送グランド４，６は、例えば、金、銀、銅、銅合金、アルミニウム等の金属材料を用いて、メッキ処理及びフォトレジストリソグラフィ等により形成することができる。なお、図２においては、第１伝送パターン５が第１基板１に埋まり、第２伝送パターン７が第２基板２に埋まるように記載されているが、これは説明の便宜のためであり、各伝送パターン５，７の厚み方向の位置は、特には限定されず、例えば、第１伝送パターン５は対向する第１基板１の表面と第３基板３の表面との間に配置されていればよい。この点は、第２伝送パターン７についても同様である。
【００２４】
＜２．電力変換器の動作＞
次に、上記のように構成された電力変換器の動作について説明する。まず、この電力変換器において、第１伝送パターン５から第２伝送パターン７に電磁波が伝送される場合について説明する。
【００２５】
第１伝送パターン５の前端部から電磁波が入力されると、この電磁波は、第１基板１において第１伝送パターン５と第１伝送グランド４との間で反射されながら第１伝送パターン５に沿って先端部（後端部）５２まで伝送される。その後、この電磁波は、第１伝送パターン５の先端部５２から、第３基板３に電磁波が放射される。そして、第１伝送パターン５の先端部５２と第２伝送パターン７の先端部７２とは、第３基板３を介して電磁的に結合し、両者の間で電力変換が行われる。こうして第２伝送パターン７の先端部７２で受信された電磁波は、第２基板２において、第２伝送パターン７と第２伝送グランド６との間で反射されながら、第２伝送パターン７に沿って後端部まで伝送される。以上のように、この電力変換器では、第１基板１の伝送線路と、第２基板２の伝送線路との間で電力変換が行われる。
【００２６】
なお、上記と逆の順序で、第２基板２の第２伝送パターン７から、第１基板１の第１伝送パターン５へ向かっても電磁波の伝送を行なうことができる。
【００２７】
＜３．アンテナ装置＞
次に、上記の電力変換器１０を用いたアンテナ装置について説明する。図３は、第２伝送パターンに接続されるアンテナユニットの平面図である。
【００２８】
図３に示すように、このアンテナユニット８は、アンテナ基板８１と、このアンテナ基板８１上に配置されるパッチアンテナ８２と、アンテナ基板８１上に配置され、パッチアンテナ８２と第２伝送パターン７とを接続する線状の接続部８３と、を備えている。接続部８３は、第２伝送パターン７から前後方向に延び、その後端に矩形状の平面アンテナであるパッチアンテナ８２が接続されている。一方、電力変換器の第１伝送パターン５の前端部には、高周波回路９が接続されている。
【００２９】
このアンテナ装置では、高周波回路９から出射された電磁波が、電力変換器１０の第１伝送パターン５に入力される。入力された電磁波は電力変換器１０を経て、平面アンテナパターン８２から出射される。一方、平面アンテナパターン８２が受信した電磁波は、電力変換器１０を経て高周波回路９に入力される。このように電磁波を送受信するアンテナ装置は、障害物検知及び無線通信等の機能を達成できる。
【００３０】
以上のようなアンテナ装置は、衝突防止用のレーダ等として使用することができ、例えばミリ波領域などの短波長領域の電磁波を用いて自動車の周辺環境を監視するのに用いられる。ミリ波領域等の短波長の電磁波は分解能が高く、周辺環境等を精度良く検出するのに適している。なお、本実施形態に係るアンテナは、衝突防止用に限られず障害物検知、無線ＬＡＮ等としても使用可能であり、また使用可能な波長帯はミリ波領域に限られずマイクロ波領域等にも適用可能である。
【００３１】
＜４．特徴＞
第１伝送パターン５に伝送される電磁波は、すべてが第２伝送パターン７に伝送されるのではなく、第１伝送パターン５の先端部５２付近で一部が反射して戻ったり、第２伝送パターン７以外に伝播したりすることがある。ここで、本実施形態に係る電力変換器では、第１伝送パターン５の先端部５２と第２伝送パターン７の先端部７２とが面方向に重なるように配置され、且つ、各先端部５２，７２の幅が、先端にいくにしたがって狭くなるように形成されている。そのため、本実施形態に係る第１伝送パターン５の先端部５２においては、当該先端部５２の最も後方向である最端で急激に電磁波の反射が行われるのでなく、幅が狭くなる過程で、反射、あるいは他の部分への伝播が徐々に行われる。したがって、第１伝送パターン５を戻る反射や、第２伝送パターン７以外への電波の放射を低減でき、第２伝送パターン７への電磁波の伝播を大きくすることができる。
【００３２】
＜５．変形例＞
以上、本発明の一実施形態について説明したが、本発明は上記実施形態に限定されるものではなく、その趣旨を逸脱しない限りにおいて、種々の変更が可能である。例えば、以下の変更が可能である。また、以下の変形例の要旨は、適宜組み合わせることができる。
【００３３】
＜５−１＞
上記実施形態では、各伝送パターン５，７の先端部５２，７２の幅がテーパ状に狭くなっているが、先端にいくにしたがって幅が狭くなっていればよい。したがって、例えば、図４に示すように、伝送パターン５，７の先端部５２，７２の側縁が階段状に幅が狭くなっていてもよい。
【００３４】
また、先端部の両側縁が傾斜するように形成するほか、図５に示すように構成することができる。例えば、図５（ａ）では、先端部の一方の側縁のみが傾斜して幅が狭くなるように形成することもできる。
【００３５】
両先端部は、必ずしも一直線上に並んでいなくてもよく、図５（ｂ）に示すように、２つの伝送パターンが左右の幅方向にずれて、且つ直線状の側縁同士が向き合うように重ねてもよい。また、図５（ｃ）に示すように、２つの伝送パターンが左右の幅方向にずれて、且つ直線状の側縁同士が同じ側になるように配置することができる。さらに、図５（ｄ）に示すように、二等辺三角形状の先端部を有する伝送パターンを、左右の幅方向にずらせて配置することもできる。
【００３６】
また、先端部の長さは特には限定されず、例えば、図６に示すように、本体部を有さず、先端部のみで伝送パターンを構成することもできる。さらに、図７に示すように、両伝送パターンの一方にのみ幅が狭くなる先端部を設け、他方は幅が一定の本体部のみで伝送パターンを構成することもできる。但し、上述したメカニズムからすると、少なくとも、入力側の伝送パターンの先端部がテーパ状（その他、先端にいくにしたがって幅が狭くなる形状）に形成されていることが好ましい。
【００３７】
＜５−２＞
上記実施形態では、第１基板１及び第２基板２の両方に伝送グランド４，６を設けているが、これに限定されず、いずれか一方の基板にのみ伝送グランドを設けることもできる。また、伝送グランドは、基板の全体に形成しなくてもよく、少なくとも伝送パターンを覆うように、伝送パターンと対応する領域に形成されていればよい。なお、「対応する」とは、平面視において、伝送パターンと伝送グランドとが、基板を挟んで重なるように配置されていることをいう。
【００３８】
＜５−３＞
図８に示すように、伝送パターン５，７の周囲に、すべての基板１〜３及び伝送グランド４，６を貫通するスルーホール１０１を形成することもできる。これにより、伝送パターン５，７からの電磁波の放射を低減することができる。
【００３９】
＜５−４＞
第３基板３は必ずしも必要ではなく、第１基板１と第２基板２との間に隙間（空気層）を空けてもよい。第１基板１と第２基板２との間に隙間を設けることにより、第３基板３が不要となるので、電力変換器１０の製造コストを低減することができる。
【００４０】
＜５−５＞
アンテナ装置のアンテナの形状は特には限定されず、種々の形状が可能である。また、アンテナパターンの数も特には限定されない。また、本発明に係る電力変換器は、アンテナ以外の各種、実装部品全般に接続することができる。
【実施例】
【００４１】
以下、本発明の実施例について、説明する。但し、本発明は、以下の実施例に限定されない。
【００４２】
ここでは、実施例１〜３及び比較例１〜３の６種類の電力変換器を作成した。但し、各実施例及び比較例では、後述する評価試験のため、一組の伝送パターンを形成した。以下、実施例１〜３及び比較例１〜３について説明する。
【００４３】
＜実施例及び比較例の概要＞
（１）実施例１
図９に実施例１の平面図を示す。実施例１は、上記実施形態の図１及び図２で示したものと同じ形態を有している。すなわち、第１及び第２伝送パターンの先端部が、それぞれ二等辺三角形状に形成されている。第１及び第２伝送パターンの本体部の幅は０．７ｍｍである。また、第１及び第２伝送パターンの先端部における重なり部分の前後方向の長さは１．２ｍｍであり、第１及び第２伝送パターンの先端部の前後方向の長さは１．５ｍｍである。但し、上述したように、第１基板に２つの第１伝送パターンが平行に配置され、第２基板に２つの第２伝送パターンが平行に配置されている。ここでは、追加で配置された第１及び第２伝送パターンはアイソレーションを確認するための同一パターンであり、アイソレーション確認用パターンと称することもある。この点は、後述する実施例２，３及び比較例１〜３においても同様である。
【００４４】
（２）実施例２
図１０に実施例２の平面図を示す。実施例１との相違点は、第１及び第２伝送パターンの先端部の形状である。実施例２の先端部は、先端にいくにしたがって幅が狭くなるように形成されているが、先端部の側縁が階段状に形成されている。すなわち、先端部の側縁が３段の階段状に形成されている。但し、先端部全体の前後方向の長さは実施例１と同じである。
【００４５】
（３）実施例３
図１１に実施例３の平面図を示す。実施例１との相違点は、第１及び第２伝送パターンの先端部の形状である。実施例３の先端部は、先端にいくにしたがって幅が狭くなるように形成されているが、先端部の側縁が階段状に形成されている。すなわち、先端部の側縁が６段の階段状に形成されている。但し、先端部全体の前後方向の長さは実施例１と同じである。
【００４６】
（４）比較例１
図１２に比較例１の平面図を示す。実施例１との相違点は、第１及び第２伝送パターンの先端部の形状である。比較例１では、各伝送パターンの幅が一定である。したがって、実施例のように、先端にいくにしたがって幅が狭くならない。但し、第１及び第２伝送パターンの幅は、実施例１〜３の本体部の幅に比べて狭い。具体的には、第１及び第２伝送パターンの本体部の幅は０．２４ｍｍである。また、第１及び第２伝送パターンの先端部における重なり部分の前後方向の長さは１．２ｍｍである。
【００４７】
（５）比較例２
図１３に比較例２の平面図を示す。比較例２の各伝送パターンは、帯状の本体部と、この本端部の先端に設けられた矩形状（正方形を含む）の先端部とを備えている。この先端部は、本体部の幅よりも大きい辺を有している。第１及び第２伝送パターンの本体部の幅は０．０７ｍｍである。また、第１及び第２伝送パターンの先端部の辺は１．５７ｍｍである。そして、両伝送パターンは、面方向において先端部同士が一致するように上下方向に並んでいる。
【００４８】
（６）比較例３
図１４に比較例３の平面図及び断面図を示す。比較例３の各伝送パターンは、帯状の本体部と、この本端部の先端に設けられた円形の先端部とを備えている。この先端部は、中央に貫通孔が形成された円環状に形成されている。そして、両伝送パターンは、面方向において、先端部の貫通孔が一致するように上下方向に並び、且つこれら貫通孔を結ぶように、第３基板には円形の貫通孔が形成されている。第１及び第２伝送パターンの本体部の幅は０．０７ｍｍである。また、第１及び第２伝送パターンの先端部の外径は０．４０ｍｍであり、貫通孔の直径は０．２０ｍｍである。
【００４９】
＜評価試験１＞
次に、評価試験１について説明する。まず、実施例１〜３及び比較例１〜３の各第１伝送パターンから電磁波を入力した。そして、電磁波の、第１伝送パターンにおける先端部からの反射量（Ｓ１１）、第２伝送パターンにおける後端部からの出力量、つまり透過量（Ｓ２１）、平行する伝送パターンへの漏れ量（第１伝送パターンの出力量（Ｓ３１）、第２伝送パターンの出力量（Ｓ４１））を、５５〜６５ＧＨｚの周波数域でシミュレーションにより算出した。第１伝送パターンに入力した電磁波が、すべて第２伝送パターンの後端部から出力されればよいが、第１伝送パターンの先端部で一部が反射したり、あるいは第２伝送パターン以外に放射されたりすることがある。そこで、この試験では、入力した電磁波が効率的に第２伝送パターンから出力されているかを評価した。
【００５０】
実施例１〜３及び比較例１〜３の結果は、それぞれ、図１５〜図２０に示している。また、以下の表１に、上記周波数域の中での最大値を示した。
【表１】
2019075627.tif 000003
【００５１】
図１８に示す比較例１では、反射量（Ｓ１１）が、透過量（Ｓ２１）よりも大きくなっている。図１９に示す比較例２では、一部の周波数域、例えば、５６〜６１ＧＨｚ付近では透過量（Ｓ２１）が大きいが、その他の周波数域では反射量（Ｓ１１）が大きい。また、図２０に示す比較例３では、透過量（Ｓ２１）はすべての周波数域で高いが、アイソレーション（Ｓ３１，Ｓ４１）が他の比較例よりも高くなっている。
【００５２】
これに対して、実施例１〜３は、アイソレーション（Ｓ３１，Ｓ４１）がすべての周波数域で低く、透過量（Ｓ２１）は、すべての周波数域で高くなっている。したがって、各伝送パターンに幅の狭くなる先端部を設けると、入力した電磁波を効率的に出力することができることが分かった。
【００５３】
＜評価試験２＞
次に、各伝送パターンにおける先端部の重なり量について検討する。図９に示す例において、第１及び第２伝送パターンとの間の相対的な距離を変化させ、透過量（Ｓ２１）を算出した。結果は、図２１に示すとおりである。同図に示すように、両伝送パターンの先端部の重なりは、０ｍｍから長くなるにしたがって、透過量（Ｓ２１）が大きくなっており、１．２ｍｍでピークに達している。そして、１．２ｍｍを越えると、一旦、透過量（Ｓ２１）は低下するが、その後、２ｍｍを越えると上昇し、重なり量が増えても、透過量Ｓ２１は−２ｄＢ付近で安定する。したがって、先端部の長さ１．５ｍｍに対し、重なり量が１．２ｍｍ以上になると、透過量（Ｓ２１）が安定する。すなわち、重なり量が先端部の長さの８０％以上の長さであることが、特に好ましいことが分かった。但し、１．０ｍｍ以上であっても、透過量が−２ｄＢ程度を維持できているため、重なり量が先端部の長さの６０％以上の長さであれば、好ましいことが分かった。
【符号の説明】
【００５４】
１  第１基板
２  第２基板
３  第３基板
４  第１伝送グランド
５  第１伝送パターン
５２  先端部
６  第２伝送グランド
７  第２伝送パターン
７２  先端部
８２  パッチアンテナ（アンテナパターン）
９  高周波回路
【図１】
2019075627.tif 000004
【図２】
2019075627.tif 000005
【図３】
2019075627.tif 000006
【図４】
2019075627.tif 000007
【図５】
2019075627.tif 000008
【図６】
2019075627.tif 000009
【図７】
2019075627.tif 000010
【図８】
2019075627.tif 000011
【図９】
2019075627.tif 000012
【図１０】
2019075627.tif 000013
【図１１】
2019075627.tif 000014
【図１２】
2019075627.tif 000015
【図１３】
2019075627.tif 000016
【図１４】
2019075627.tif 000017
【図１５】
2019075627.tif 000018
【図１６】
2019075627.tif 000019
【図１７】
2019075627.tif 000020
【図１８】
2019075627.tif 000021
【図１９】
2019075627.tif 000022
【図２０】
2019075627.tif 000023
【図２１】
2019075627.tif 000024